(57)【要約】 【課題】証明書の偽造を発行者や発行依頼者に負担をかけずに困難にすること。証明書の真偽の判定を容易且つ確実に行うこと。【解決手段】複合機８は証明書作成装置２により生成された印刷データを用紙に印刷して証明書を作成すると共に、前記用紙の特徴量を得るためにこの用紙をスキャンして画像データを得る動作をこの用紙を外部に排出することなく同時或いは順番に行なうことにより、証明書の偽造を発行者や発行依頼者に負担をかけずに困難にすることができる。また、前記特徴量を証明書作成装置２により記憶装置１２の領域１２０に登録しておき、複合機８で発行済みの証明書をスキャンして得た画像データ或いはその派生情報と登録されている特徴量とを比較することによって証明書の真偽の判定を容易且つ確実に行うことができる。【選択図】図１  
2005151466.tif 000002
【特許請求の範囲】
【請求項１】
用紙に印刷する印刷手段と、
用紙をスキャンして画像データを得るスキャン手段と、
同一用紙に対する印刷動作とスキャン動作を前記用紙を排出することなく同時或いは順番に行う制御手段と、
を具備することを特徴とする複合装置。
【請求項２】
前記制御手段は、前記用紙の紙送りを往復させて前記印刷動作と前記スキャン動作を行うことを特徴とする請求項１記載の複合装置。
【請求項３】
前記制御手段は、前記用紙の紙送りを一方向とし、前記印刷動作と前記スキャン動作を順番に行うことを特徴とする請求項１記載の複合装置。
【請求項４】
前記スキャン手段は、前記用紙の透過画像を取得することを特徴とする請求項１記載の複合装置。
【請求項５】
前記スキャン手段は、前記用紙の反射画像を取得することを特徴とする請求項１記載の複合装置。
【請求項６】
前記印刷手段と前記スキャン手段はそれぞれ単独に動作することを特徴とする請求項１記載の複合装置。
【請求項７】
用紙に所定の文字または画像を印刷して証明書を発行する証明書発行装置であって、
用紙に前記文字または画像を印刷する印刷手段と、
用紙をスキャンして画像データを得る第１のスキャン手段と、
同一用紙に対する前記印刷手段による印刷動作と前記第１のスキャン手段によるスキャン動作を前記用紙を排出することなく同時或いは順番に行う制御手段と、
前記用紙をスキャンして得た画像データ或いはその派生情報を特徴量として登録する登録手段と、
を具備することを特徴とする証明書発行装置。
【請求項８】
前記スキャン手段は、予め決められた用紙の全部または一部分をスキャンして画像データを得ることを特徴とする請求項７記載の証明書発行装置。
【請求項９】
前記登録手段は、前記特徴量を前記印刷して作成した証明書に関わる諸情報と関連付けて登録することを特徴とする請求項７記載の証明書発行装置。
【請求項１０】
発行済みの証明書をスキャンして画像データを得る第２のスキャン手段と、
前記第２のスキャン手段により得られた画像データ或いはその派生情報と前記登録されている特徴量とにより前記発行済みの証明書の真偽を判定する判定手段を備えることを特徴とする請求項７記載の証明書発行装置。
【請求項１１】
前記第２のスキャン手段は、前記第１のスキャン手段と兼用であることを特徴とする請求項１０記載の証明書発行装置。
【請求項１２】
証明書のイメージデータを生成する証明書生成サーバーと複数の端末装置とが通信ネットワークで接続して形成され、用紙に所定の文字または画像を印刷して証明書を発行する証明書発行システムであって、
前記端末装置は、用紙に前記証明書生成サーバーから前記通信ネットワークを通して送信されてきた文字または画像を印刷する印刷手段と、
用紙をスキャンして画像データを得る第１のスキャン手段と、
同一用紙に対する前記印刷手段による印刷動作と前記第１のスキャン手段によるスキャン動作を前記用紙を排出することなく同時或いは順番に行う制御手段と、
前記用紙をスキャンして得た画像データを前記通信ネットワークを通して証明書生成サーバーに送信する送信手段とを具備し、
前記証明書生成サーバーは、前記端末装置より前記通信ネットワークを通して発行依頼された証明書のイメージデータを生成する証明書生成手段と、
前記生成されたイメージデータを前記通信ネットワークを通して発行依頼元の端末装置に送信する送信手段と、
前記発行依頼元の端末装置から前記通信ネットワークを通して送られてきた前記用紙をスキャンして得た画像データ或いはその派生情報を特徴量として登録する登録手段と、
を具備することを特徴とする証明書発行システム。
【請求項１３】
前記登録手段は、前記特徴量を前記印刷して作成した証明書に関わる諸情報と関連付けて登録することを特徴とする請求項１２記載の証明書発行システム。
【請求項１４】
前記端末装置の一部または全部は、発行済みの証明書をスキャンして画像データを得る第２のスキャン手段と、前記第２のスキャン手段により得られた画像データを前記通信ネットワークを通して証明書生成サーバーに送信する送信手段とを具備し、
前記証明書生成サーバーは、前記端末装置から前記通信ネットワークを通して送られてきた画像データまたはその派生情報と前記登録してある特徴量とにより前記発行済みの証明書の真贋を判定する判定手段と、前記判定結果を前記送信元の端末装置に返送する返送手段とを具備することを特徴とする請求項１２記載の証明書発行システム。
【請求項１５】
前記第２のスキャン手段は、前記第１のスキャン手段と兼用であることを特徴とする請求項１４記載の証明書発行システム。
【請求項１６】
前記第１、第２スキャン手段は、予め決められた用紙の全部または一部分をスキャンして画像データを得ることを特徴とする請求項１４記載の証明書発行システム。
【発明の詳細な説明】
【技術分野】
【０００１】
本発明は、証明書を発行する証明書発行装置及び証明書発行システムに係り、特に証明書を出力する複合装置に関する。
【背景技術】
【０００２】
従来より市役所などでは各種の証明書等が発行されているが、特殊な印刷技術による偽造の困難さにより安全性を確保してきた。しかし、スキャナーやプリンターの高性能化によりコピーによる精度の高い偽造が容易にできるようになってきている。
【０００３】
そこで、紙の透過紋様による紙一枚一枚の識別を行なったり、紙漉き時に混入させた繊維状不純物のランダムな配列パターンなどによって記録媒体自体を一意に特定できる情報を用い、発行済みの証明書の真贋を判定を行なうことにより、証明書等の安全性を確保するような方法が公知となっている（例えば特許文献１参照）。
【特許文献１】特開平２００３−６７７１８号公報  （第５頁、第１図）
【発明の開示】
【発明が解決しようとする課題】
【０００４】
しかし、証明書は決められた用紙に照明内容を手書きまたは印刷で記載し、その後押印して発行される。上記公知例ではこの完成した証明書の偽造防止のために、この証明書を透過型のスキャナーで用紙の紋様或いはランダムな配列パターンを以降の当該証明書の識別のために取得して登録する。しかし、スキャンする工程が印刷の後にあると、窓口での発行では発行依頼人を待たせる時間が長くなってしまったり、又、手違いが起きる可能性がないとはいえない。また、発行の作業者に偽造に荷担する者がいた場合には、発行された証明書を偽証明書とすり替え、この偽証明書をスキャンして登録してしまう恐れがあった。
【０００５】
本発明は前記事情に鑑み案出されたものであって、本発明の目的は、証明書の偽造を発行者や発行依頼者に負担をかけずに困難にすることができると共に、証明書の真偽の判定を容易且つ確実に行うことができる証明書発行装置、証明書発行システム及び上記目的を達成するために必須の証明書出力用の複合装置を提供することにある。
【課題を解決するための手段】
【０００６】
本発明は上記目的を達成するため、用紙に印刷する印刷手段と、用紙をスキャンして画像データを得るスキャン手段と、同一用紙に対する印刷動作とスキャン動作を前記用紙を排出することなく同時或いは順番に行う制御手段とを具備することを特徴とする。
【０００７】
このように本発明の複合装置では、用紙に印刷する動作と、当該用紙の画像データをスキャンする動作を用紙を排出することなく同時或いは順番に内部で行うことができるため、例えば、用紙に証明内容を印刷して証明書を作成すると共に、この用紙をスキャンして得た画像データをこの用紙を特定するための特徴量として用いる場合、印刷する用紙とスキャンする用紙をすり替えることが困難であるため、証明書の偽造を防止することができる。
【０００８】
また、本発明は、用紙に所定の文字または画像を印刷して証明書を発行する証明書発行装置であって、用紙に前記文字または画像を印刷する印刷手段と、用紙をスキャンして画像データを得る第１のスキャン手段と、同一用紙に対する前記印刷手段による印刷動作と前記第１のスキャン手段によるスキャン動作を前記用紙を排出することなく同時或いは順番に行う制御手段と、前記用紙をスキャンして得た画像データ或いはその派生情報を特徴量として登録する登録手段とを備えることを特徴とする。
【０００９】
このように本発明の証明書発行装置では、用紙に証明内容を印刷する動作と、特徴量を得るために当該用紙をスキャンして画像データを得る動作を用紙を排出することなく同時或いは順番に行うことができるため、証明内容を印刷する用紙と特徴量を得るためにスキャンする用紙をすり替えることを困難とすることができ、証明書の偽造を防止することができる。また、前記特徴量を登録しておき、発行済みの証明書をスキャンして得た画像データ或いはその派生情報と登録してある特徴量とを比較することにより容易且つ確実に発行済みの証明書の真贋判定を行うことができる。
【００１０】
また、本発明は、証明書のイメージデータを生成する証明書生成サーバーと複数の端末装置とが通信ネットワークで接続して形成され、用紙に所定の文字または画像を印刷して証明書を発行する証明書発行システムであって、前記端末装置は、用紙に前記証明書生成サーバーから前記通信ネットワークを通して送信されてきた文字または画像を印刷する印刷手段と、用紙をスキャンして画像データを得る第１のスキャン手段と、同一用紙に対する前記印刷手段による印刷動作と前記第１のスキャン手段によるスキャン動作を前記用紙を排出することなく同時或いは順番に行う制御手段と、前記用紙をスキャンして得た画像データを前記通信ネットワークを通して証明書生成サーバーに送信する送信手段とを具備し、前記証明書生成サーバーは、前記端末装置より前記通信ネットワークを通して発行依頼された証明書のイメージデータを生成する証明書生成手段と、前記生成されたイメージデータを前記通信ネットワークを通して発行依頼元の端末装置に送信する送信手段と、前記発行依頼元の端末装置から前記通信ネットワークを通して送られてきた前記用紙をスキャンして得た画像データ或いはその派生情報を特徴量として登録する登録手段とを具備することを特徴とする。
【００１１】
このように本発明の証明書発行システムでは、端末装置で、用紙に証明内容を印刷する動作と、特徴量を得るために当該用紙をスキャンして画像データを得る動作を用紙を外部に排出することなく同時或いは順番に行うことができるため、証明内容を印刷する用紙と特徴量を得るためにスキャンする用紙を端末装置側ですり替えることを困難とすることができる。それ故、従来は例えば個人の自宅では発行できなかったような証明書を偽造の恐れなく安全に発行することができる。前記証明書の発行時にこの証明書の用紙をスキャンして得た画像データ或いはその派生情報を特徴量として証明書生成サーバーに登録しておき、端末装置側で発行済みの証明書をスキャンして得た画像データを前記証明書生成サーバーに送り、そこで前記画像データ或いはその派生情報と前記登録してある特徴量を比較して得られた真贋判定結果を端末装置に返送することにより、端末装置で容易且つ確実に発行済みの証明書の真贋判定を行うことができる。但し、前記派生情報とは、前記画像データに画像処理や演算処理などを施して得られるパターンや数値などであり、前記画像データから抽出されて当該画像データの固有の特徴を表す情報のことである。
【発明の効果】
【００１２】
本発明によれば、用紙に証明内容を印刷する動作と、用紙の特徴量を得るために当該用紙をスキャンして画像データを得る動作を用紙を外部に排出することなく同時或いは順番に行うことにより、発行者や発行依頼者に負担をかけずに偽造を困難にした安全性の高い証明書を容易に発行することができ、また、前記特徴量を登録しておき、発行済みの証明書をスキャンして得た画像データ或いはその派生情報とを比較することにより証明書の真贋判定を容易且つ確実に行うことができる。
【発明を実施するための最良の形態】
【００１３】
証明書の偽造を発行者や発行依頼者に負担をかけずに困難にすることができると共に、証明書の真偽の判定を容易且つ確実に行う目的を、用紙に証明内容を印刷する動作と、用紙の特徴量を得るために当該用紙をスキャンして画像データを得る動作を用紙を外部に排出することなく同時或いは順番に行ない、また、前記特徴量を登録しておき、発行済みの証明書をスキャンして得た画像データ或いはその派生情報とを比較することによって実現した。
【実施例１】
【００１４】
図１は、本発明の第１の実施の形態に係る証明書発行装置の構成を示したブロック図である。証明書発行装置５０は、証明書のイメージデータを作成すると共に発行済みの証明書の真贋判定を行う証明書作成装置２、キーボードやマウスなどの制御入力装置４、作成画像や読み取り画像などを表示する表示装置６、作成された証明書データを用紙に印刷すると共に、この用紙を透過スキャンして得た透過画像データを取得する複合機８、複合機８を駆動制御する複合機制御装置１０、発行した証明書の画像及び透過画像などを記憶する領域１２０及びデータベース１２１が設定されている記憶装置１２を有して構成されている。但し、特許請求の範囲の印刷手段、スキャン手段は複合機８に相当し、制御手段は複合機制御装置１０に相当し、登録手段は証明書作成装置２と記憶装置１２に相当し、判定手段は証明書作成装置２に相当する。
【００１５】
図２（Ａ）、（Ｂ）は、図１に示した複合機８の構成（本発明の複合装置に相当する）を示したブロック図である。図２（Ａ）はプリンタヘッドを省略していない構成で、図２（Ｂ）はプリンタヘッドを省略した構成である。本例の複合機８は、図１に示したものに相当し、スキャナーヘッド８０１、スキャナーセンサー８０２、レンズ８０３、８０４、キャリッジ８０５、キャリッジ駆動装置８０６、紙送り装置８０７、プリズムユニット８０８、プリントヘッド８０９、反射光用ライン照明板８１０、透過光用ライン照明板８１１、キャリッジ駆動装置８０６の駆動源であるモータ８１２、紙送り装置８０７の駆動源であるモータ８１３を有している。
【００１６】
次に本実施の形態の動作について図３のフローチャートを参照して説明する。例えば上記した証明書発行装置５０が市役所などに置かれていた場合、市民（発行依頼人）などが例えば住民票などの証明書の発行を依頼すると（ステップＳ１）、市役所の係の人（発行人）はキーボードなどの制御入力装置４を操作して、発行証明書の種類、発行依頼人の個人情報など当該証明書の発行に必要な情報を制御入力装置４から証明書作成装置２に入力する（ステップＳ２）。
【００１７】
証明書作成装置２は記憶装置１２内のデータベース１２１に収集されている個人情報、証明書の書式、印影情報、記載内容情報等の中から必要な情報を読み出して、依頼された証明書のイメージデータを作成する（ステップＳ３）。その際、作成中の証明書のイメージはＣＲＴなどの表示装置６に表示される。発行者は作成中の証明書を見て、必要があれば制御入力装置４から画面上の証明書に必要事項を入力する。
【００１８】
こうして証明書のイメージデータの作成が終了すると、発行者は証明書の印刷と、この証明書を印刷する用紙の透過画像データの取得指示を制御入力装置４から証明書作成装置２に出す（ステップＳ４）。証明書作成装置２はこれを受けて、証明書のイメージデータと共に印刷命令及び透過画像データ取得命令を複合機制御装置１０に出力する。
【００１９】
これにより、複合機制御装置１０は複合機８を駆動制御して、まず、証明書のイメージデータを所定の用紙に印刷する（印刷されて作成された証明書は図７に示す）と共に、この用紙を外部に出力することなく、引き続き用紙の所定部分（図７の９０で示した領域）を透過スキャンして透過画像データを取得する（ステップＳ５）。その後、複合機８は印刷済みの証明書を外部に排出すると共に、取得した透過画像データを複合機制御装置１０を介して証明書作成装置２に出力する（ステップＳ６）。
【００２０】
ここで、上記した透過画像データとは、証明書を印刷する用紙の内部の構造、例えば紙を構成する繊維の配置であるとかその繊維が作るパターンなどで、このような配置やパターンはそれぞれの用紙固有のものである。そこで透過画像データは証明書を印刷する用紙を１対１で特定することができる特徴量として用いることができる。
【００２１】
証明書作成装置２は透過画像データが入力されると、前記証明書の発行処理記録を作成し、この発行処理記録の一部として透過画像データを発行した証明書の発行番号など、当該証明書の発行に関わる各種情報に関連付けて記憶装置１２の領域１２０に登録し、処理を終了する（ステップＳ７）。
【００２２】
発行人は、後述するように印刷済みの証明書の反射画像を取得した場合は、この反射画像を表示装置６に表示して、前記排出された証明書と照合し、印刷ミスや印刷斑がないことを確認すると、複合機制御装置１０から排出された証明書を発行依頼人に渡す。
【００２３】
ここで、本例の複合機８による証明書の印刷に際してデジタル押印も含むものとする。証明書には発行依頼者印を押印することが多いが、印刷、登録後に押印すると登録データに含まれないので好ましくない。そこで、押印は別紙に押印してスキャンしてデジタルデータとして証明書の印刷用データにはめ込み印刷する。サインの場合も同様に別紙に行えるが、入力タブレットで行うこともできる。
【００２４】
しかし、印刷と登録プロセスで紙送りが不調など何らかの不具合があった場合、登録された証明書を後で無効化する必要が発生する場合がある。プリンタとして動作する複合機８自体で不調を感知できる場合は複合機８が自動的に登録データを無効化する信号を証明書作成装置２に送ると、証明書作成装置２は本証明書に関わる登録情報をクリアーすると共に、複合機８によりこの証明書の無効を示す情報を印字する。複合機８が感知できない場合は、手動で証明書を無効化する。
【００２５】
また、証明書には発行番号を印字するものとする。発行番号はシリアル番号としても良いが、シリアル番号のハッシュ値などにして、偽造を困難にすることができる。登録したスキャン画像は大量のデータから該当するスキャン画像を得るキーとして発行番号を使うのが便利である。しかし、証明書が破損した場合に備え、証明書の随所に複数印字しておく方が好ましい。電子透かしの手法で画面の広い面積に埋め込むことも有効である。
【００２６】
なお、発行処理記録は、証明書の記載内容、例えば証明内容、発行日時、発行依頼者情報、発行者情報、発行番号や、スキャン画像、透過画像、反射画像、印刷前、印刷後の画像や、発行時環境情報、例えば登録時の機材の情報、発行者の写真、依頼者の写真などの一部または全部で、本例では透過画像データとその他情報の一つ以上をデータとして安全に保存する。この際、データの伝送や保存は暗号化などでデータの流出や改竄から保護する。
【００２７】
ここで、上記した複合機８の印刷及び透過画像データ取得処理について図２の構成図及び図４のフローチャートを参照して説明する。複合機８は複合機制御装置１０の制御の下に以下に述べるような動作を行う。用紙４０がモータ８１３を駆動源とする紙送り装置８０７により紙送りされて、プリントヘッド８０９側へ送られる。プリントヘッド８０９はキャリッジ８０５に搭載され、モータ８１２を駆動源とするキャリッジ駆動装置８０６によりキャリッジ８０５が往復移動されることにより、紙送り方向とは直角方向に用紙４０上を走査し、順次送られてくる用紙４０上に証明書内容を印刷する（ステップＳ１１）。  
【００２８】
上記証明書内容の印刷が終了すると、用紙４０の予め決められた所定部分がスキャナ−ヘッド８０１の走査位置に来るように紙送りすると共に、透過光用ライン照明板８１１を点灯させる。その後、用紙４０を紙送りすると共にキャリッジ駆動装置８０６でキャリッジ８０５を移動させることにより、このキャリッジ８０５に搭載されたスキャナ−ヘッド８０１を紙送り方向とは直角方向に走査して、用紙４０の透過画像データを取得する（ステップＳ１２）。
【００２９】
ここで、透過光用ライン照明板８１１は用紙４０の背面から用紙４０を照明するため、用紙４０を透過した光はスキャナ−ヘッド８０１内のプリズムユニット８０８に入射され、このプリズムユニット８０８より進行方向を直角に曲げられた後、レンズ８０３を通してレンズ８０４へ送られる。レンズ８０４は入射される光をスキャナーセンサー８０２上に集光し、スキャナーセンサー８０２より前記透過光に対応する透過画像データが得られる。この透過画像データは光が用紙４０を透過する際にその内部の状況を反映したデータであるため、用紙４０固有の特徴量を持っている。なお、この用紙４０固有の特徴量は透過画像データそのものでも或いは派生情報、即ち透過画像データに対する画像処理や演算処理などを施して得られるパターンや数値であってもよい。
【００３０】
こうして得られた用紙４０の透過画像データは上記したように複合機制御装置１０を介して証明書作成装置２に出力され、それと共に、既に印刷した証明書が複合機８の外部に排出される（ステップＳ１３）。
【００３１】
なお、透過画像だけでなく反射画像を取得する場合が通例で、この場合は反射光用ライン照明板８１０を点灯させ、用紙４０を紙送りすると共にキャリッジ駆動装置８０６でキャリッジ８０５を移動させることにより、このキャリッジ８０５に搭載されたスキャナ−ヘッド８０１を紙送り方向とは直角方向に走査し、用紙４０の印刷部分すべての反射画像を取得する。
【００３２】
反射光用ライン照明板８１０は用紙４０の前面からこの用紙を照明するため、用紙４０の表面により反射された光がスキャナーセンサー８０２上に集光され、反射画像が取得される。こうして得られた反射画像は複合機制御装置１０を介して証明書作成装置２に送られ、さらに記憶装置１２の領域１２０に発行処理記録の一部として登録される。
【００３３】
次に証明書の真偽を判定する動作について説明する。まず、判定者は判定対象の証明書を複合機８にセットした後、制御入力装置４から証明書の判定指令を証明書作成装置２に入力する。これにより証明書作成装置２は複合機制御装置１０に証明書の透過画像データ取得命令を出す。これにより、複合機８は判定対象の証明書の所定範囲を透過スキャンして透過画像データを取得し、これを複合機制御装置１０を介して証明書作成装置２に出力する。
【００３４】
証明書作成装置２は、制御入力装置４より判定指令に前後して入力される判定対象の証明書の識別番号（例えば発行番号）に基づいて、この証明書が発行された時に登録しておいた特徴量を記憶装置１２から読み出し、これと複合機８から入力された透過画像データ或いはその派生情報との相関をとり、所定レベル以上の相関があった場合に、判定対象の証明書を本物と判定し、相関がない場合は判定対象の証明書を偽造と判定する。
【００３５】
なお、上記のような証明書の真贋の判定は単独で行われることもあるが、この証明書を用いた事務処理や権利の行使処理などを行う際に行って、証明書が偽物であった場合は直ちに以降の事務処理などを中止することになる。
【００３６】
本実施の形態によれば、複合機８が用紙４０に証明書を印刷した後、この用紙４０を排出することなく、用紙４０の透過スキャンを行って透過画像データを取得できるため、印刷終了後の証明書を偽の証明書とすり替え、偽の透過画像データを特徴量として登録するなどの操作を行うことが不可能になり、証明書の偽造を困難にしてそのセキュリティー及び信頼性を向上させることができる。
【００３７】
さらに、本実施の形態では証明書の印刷時にデジタル押印を行うため、押印も複合機８の内部で行われるため、この点からも偽印を用いた証明書の偽造を困難とすることができる。
【００３８】
また、本実施の形態では用紙４０を特定する透過画像データを得るために用紙４０に特別な加工を施していないため、普通の証明印刷用の用紙を用いることができ用紙４０のコストを上昇させることなく上記効果を得ることができる。
【００３９】
さらに、発行済み証明書の所定の範囲をスキャンして、透過画像データを得ると共に、この証明書の識別情報を得ることにより、この識別情報をキーとして登録済みの特徴情報を読み出し、この特徴情報を前記透過画像データまたはその派生情報と比較して、前記発行済み証明書の真贋を判定することにより、発行済み証明書の真贋判定を容易且つ確実に行うことができる。
【００４０】
また、複合機８により証明書の印刷と用紙４０のスキャンがほぼ同時に行われるため、発行者や発行依頼者に負担をかけずに上記効果を得ることができる。
【００４１】
なお、本実施の形態の複合機で同一の用紙４０に対する印刷とスキャンを行う際には、用紙を往復させて行う方法及び、用紙を一方向に送りながら最初に印刷を行い、まだ印刷が行われていない残りの部分のスキャンを行って透過情報を得てもよいし、また、この場合、最初にスキャンを行って残りの部分に印刷を行う方法でもよい。
【００４２】
また、図１に示した証明書発行装置５０は、構成要素を全て持った自己完結型の装置であったが、例えば、証明作成装置２、制御入力装置４、表示装置６、複合機制御装置１０、複合機８を端末装置とし、この端末装置が通信ネットワークを介してサーバに接続され、このサーバに記憶装置１２が内蔵または接続されている構成としたり或いは、制御入力装置４、表示装置６、複合機制御装置１０、複合機８を端末装置とし、この端末装置が通信ネットワークを介してサーバに接続され、このサーバに証明書作成機能と記憶装置１２が設置されている構成とすることもできるが、動作は上記実施の形態と同様で同様の効果がある。
【実施例２】
【００４３】
図５は、本発明の第２の実施の形態に係る証明書発行システムの構成を示したブロック図である。証明書発行システム８０は、証明書発行用サーバー２２と、パーソナルコンピュータなどで構成される複数の端末機２４とがインターネットのような通信ネットワーク（以降単にネットワークと称する）２６で接続されて構成されている。但し、特許請求の範囲の証明書生成サーバーは証明書発行用サーバー２２に相当し、端末装置は端末機２４と複合機８に相当し、送信手段は端末機２４に相当し、判定手段及び返送手段は証明書発行用サーバー２２に相当する。
【００４４】
但し、証明書発行用サーバー２２は少なくとも図１に示した証明書作成装置と記憶装置の機能を有し、この端末機２４は制御入力装置と表示装置の機能を有し、さらに図２で示した複合機８が接続されている。この場合、複合機８の動作を制御する複合機制御機能は端末機２４側に内蔵されているものとする。
【００４５】
次に本実施の形態の動作につい図６のフローチャートを参照して説明する。利用者は端末機２４からネットワーク２６を介して証明書発行用サーバー２２が開設しているホームページにアクセスし、そこから例えばホテル宿泊用のクーポン券などの発行依頼を選択した後、利用者確認のための識別情報と共に、前記発行依頼をネットワーク２６を介して例えば旅行会社が管理運営する証明書発行用サーバー２２に行う（ステップＳ２１）。
【００４６】
証明書発行用サーバー２２は、送信されてきた利用者の識別番号により利用者を確認すると（ステップＳ２２）、証明書発行用サーバー２２内の内蔵のデータベースから前記利用者の個人データを取得すると共に（ステップＳ２３）、クーポン券のフォーマットデータを取得し、これらデータに基づいて印刷イメージを生成し（ステップＳ２４）、印刷イメージデータをネットワーク２６を介して端末機２４に送信する。
【００４７】
利用者は端末機２４で受信した印刷データをディスプレイに表示して確認した後、これを印刷する指示を出すことにより、印刷データを複合機８に送って印刷を開始する。複合機８は予めセットしてある専用の用紙に印刷データを印刷すると共に（ステップＳ２５）、この用紙の透過画像データを透過スキャナーで取得し（ステップＳ２６）、この透過画像データを端末機２４に出力すると共に、用紙に印刷して作成されたクーポン券を外部に排出する。端末機２４は透過画像データをネットワーク２６を介して証明書発行用サーバー２２に送信する（ステップＳ２７）。
【００４８】
証明書発行用サーバー２２は受信した透過画像データを、別途生成した本クーポン券の発行処理記録の一部として内部の記憶装置に登録し（ステップＳ２８）、処理を終了する。  
【００４９】
次に、本実施の形態の証明書発行システム８０による発行済みクーポン券の真贋判定動作について説明する。端末機２４の複合機８に発行済みクーポン券をセットしてこの発行済みクーポン券の所定の範囲をスキャンして透過画像データを得ると共に、このクーポン券の識別情報を得る。端末機２４はこの透過画像データ及び識別情報を通信ネットワーク２６を通して証明書発行用サーバー２２に送信する。
【００５０】
証明書発行用サーバー２２は受信した識別情報をキーとして登録済みの特徴量を読み出し、この特徴量を受信した透過画像データまたはその派生情報と比較して前記発行済みクーポン券の真贋を判定する。証明書発行用サーバー２２は真贋判定結果を前記透過画像データ送信元の端末機２４に送信する。これにより端末機２４側で発行済みクーポン券の真贋判定結果を得ることができる。
【００５１】
本実施の形態によれば、利用者が所有するパーソナルコンピュータなどの端末機２４で例えばホテル宿泊用のクーポンを発行する場合でも、印刷動作と印刷用紙の透過画像データ取得動作を用紙を排出することなくほぼ同時に行うことができる複合機８を用いることにより、クーポン券の偽造を困難にすることができ、安全で信頼性の高いクーポン券を発行することができる。
【００５２】
また、発行済みのクーポン券を端末機２４でスキャンするだけでその真贋判定結果を容易且つ確実に同端末機２４より得ることができため、利用者は、端末機２４により容易且つ確実に発行済みクーポン券の真贋判定を行うことができる。
【００５３】
なお、本実施の形態の構成に加えて、証明書発行用サーバー２２のデータベースに、上記した情報端末２４よりクーポン券などの証明書を発行した場合、特徴量の他に発行者の顔写真、証明書の内容、発行機器の識別情報などを関連付けて登録しておき、発行済みの証明書の真贋判定を、これらすべての情報に基づいて行うことにより、さらに、証明書の安全性と信頼性を向上させることができる。
【００５４】
また、ホテル宿泊用のクーポン券の発行について説明したが、例えば証明書発行用サーバー２２が銀行により運営管理されていて、端末機２４から小切手等を発行するような場合についても本発明を適用して同様の効果を得ることができる。要するに偽造されては困るような印刷物であればその種類を問わず、本発明を適用して同様の効果を得ることができる。
【００５５】
尚、本発明は上記実施の形態に限定されることなく、その要旨を逸脱しない範囲において、具体的な構成、機能、作用、効果において、他の種々の形態によっても実施することができる。例えば、証明書発行システムの端末は、必ずしも個人のところにある必要はなく、本社に証明書発行用サーバー２２を設置しておき、各支店に或いは出先機関に端末機２４を設置し、証明書発行用サーバー２２と端末機２４をＬＡＮなどで接続してシステムを構築してもよく、その場合、発行する印刷物は偽造されては困る社内用の書類などでもよい。
【００５６】
また、実施の形態の証明書発行装置及び証明書発行システムで発行された証明書は登録済みであることを明示してその偽造を抑止することもできる。
【図面の簡単な説明】
【００５７】
【図１】本発明の第１の実施の形態に係る証明書発行装置の構成を示したブロック図である。
【図２】図１に示した複合機の構成を示したブロック図である。
【図３】図１に示した装置の動作手順を示したフローチャートである。
【図４】図２に示した複合機の印刷及び透過画像データ取得処理手順を示したフローチャートである。
【図５】本発明の第２の実施の形態に係る証明書発行システムの構成を示したブロック図である。
【図６】図５に示したシステムの動作手順を示したフローチャートである。
【図７】図１に示した装置により印刷して作成された証明書例を示した図である。
【符号の説明】
【００５８】
２…証明書作成装置、４…制御入力装置、６…表示装置、８…複合機、１０…複合機制御装置、１２…記憶装置、２２…証明書発行用サーバー、２４…端末機、２６…通信ネットワーク、５０…証明書発行装置、８０…証明書発行システム、１２０…領域、１２１…データベース、８０１…スキャナーヘッド、８０２…スキャナーセンサー、８０３、８０４…レンズ、８０５…キャリッジ、８０６…キャリッジ駆動装置、８０７…紙送り装置、８０８…プリズムユニット、８０９…プリントヘッド、８１０…反射光用ライン照明板、８１１…透過光用ライン照明板、８１２、８１３…モータ。
【図１】
2005151466.tif 000003
【図２】
2005151466.tif 000004
【図３】
2005151466.tif 000005
【図４】
2005151466.tif 000006
【図５】
2005151466.tif 000007
【図６】
2005151466.tif 000008
【図７】
2005151466.tif 000009